(57)【特許請求の範囲】
【請求項１】
部屋内を仕切る間仕切り壁が、床面と天井面との間に設置されてなる間仕切り壁の設置構造であって、前記床面に少なくとも一の断面矩形状収納家具51が前記部屋の壁から離れて設置固定され、当該収納家具51の一方の側板52に前記間仕切り壁1の一方の端部が固定され、当該間仕切り壁１の他方の端部は前記部屋を形成する一つの壁面67に固定されるとともに、前記収納家具51に建具25を備えた少なくとも一つの建具ユニット21が連接されてユニット壁62が構成されており、このユニット壁62の端部のうち、前記間仕切り壁1が固定される側と反対の側の端部は、前記一つの壁面67と直角をなす他の壁面64に固定され、前記収納家具51と建具ユニット21とは、収納家具51の天板53および建具ユニット21の天板23の上面に設けられた化粧枠44によって連結されることにより、前記間仕切り壁1および前記建具ユニット21が天井面および床面のいずれにも固定されない構造であることを特徴とする間仕切り壁の設置構造。
【発明の詳細な説明】
【０００１】
【発明の属する技術分野】
本発明は、部屋内を仕切る間仕切り壁が、床面と天井面との間に設置されてなる間仕切り壁の設置構造に関するものである。
【０００２】
【背景の技術】
一般に、部屋と部屋の間には、間仕切り壁が設けられている。この間仕切り壁は、従来、例えば、天井と床との間に縦芯材と横芯材とを格子状に組み付けていき、これらの芯材の両面に石膏ボード等を張り付けることにより形成されていた。しかし、このような間仕切り壁は、設置作業が煩雑なため近年、予めパネル化した間仕切りパネルを部屋内に組み付ける方法が採用されている。
この一例として、特開平９−２７９７２６号公報記載の技術がある。この技術における間仕切りパネルは、矩形のボードと、このボードの上下端辺に配置されたＨ型鋼と、ボードの両面に張られた石膏ボード等の壁パネルとから構成されており、上下端面には溝状の凹部が設けられている。そして、このような間仕切りパネルは、天井および床に設けられた天井ランナと床ランナに、その上下端面の各凹部がそれぞれ嵌合されて固定されている。
【０００３】
【発明が解決しようとする課題】
ところで、前記特開平９−２７９７２６号公報における間仕切りパネルは、天井および床に設けられた天井ランナと床ランナに、その上下端面の各凹部がそれぞれ嵌合され、その側面から天井ランナまたは床ランナまで貫通する釘等が打ち込まれることによって固定されているので、床や天井にこれら床ランナおよび天井ランナを設置し、さらに、天井ランナや床ランナに間仕切りパネルを固定しなければならず、施工工程数が多く、設置作業が煩雑であった。
また、上述したように床や天井にそれぞれ設置された床ランナや天井ランナに間仕切りパネルは固定されているので、部屋の模様替え等を行う際に、これら床ランナや天井ランナから間仕切りパネルを取り外さなくてはならず、その作業が困難であり、さらに、床ランナや天井ランナから間仕切りパネルを取り外しても、床ランナや天井ランナは床や天井に取りつけられた状態であるので、模様替えをした後の見栄えがあまり良くなかった。
【０００４】
本発明は、上記事情に鑑みてなされたもので、床と天井との間に間仕切り壁を容易に設置することができ、また、容易に模様替えを行い、模様替えを行っても床と天井の見栄えの良い間仕切り壁の設置構造を提供することを課題としている。
【０００５】
【課題を解決するための手段】
上記課題を解決するために、本願発明は部屋内を仕切る間仕切り壁が、床面と天井面との間に設置されてなる間仕切り壁の設置構造であって、前記床面に少なくとも一の断面矩形状収納家具51が前記部屋の壁から離れて設置固定され、当該収納家具51の一方の側板52に前記間仕切り壁1の一方の端部が固定され、当該間仕切り壁１の他方の端部は前記部屋を形成する一つの壁面67に固定されるとともに、前記収納家具51に建具25を備えた少なくとも一つの建具ユニット21が連接されてユニット壁62が構成されており、このユニット壁62の端部のうち、前記間仕切り壁1が固定される側と反対の側の端部は、前記一つの壁面67と直角をなす他の壁面64に固定され、前記収納家具51と建具ユニット21とは、収納家具51の天板53および建具ユニット21の天板23の上面に設けられた化粧枠44によって連結されることにより、前記間仕切り壁1および前記建具ユニット21が天井面および床面のいずれにも固定されない構造であることを特徴とする。
【０００６】
本願発明によれば、前記床面２０に少なくとも一の収納家具５１が設置されており、前記収納家具５１に前記間仕切り壁１が固定されているので、前記間仕切り壁１を床面２０上に自立させることができるとともに、間仕切り壁１と収納家具５１とによって部屋６１内を仕切ることができる。したがって、従来と異なり、床面と天井面とにそれぞれ床ランナや天井ランナを設置したり、さらに、間仕切り壁から床ランナや天井ランナに釘打ちすることによって間仕切り壁を固定するといった、面倒な作業を行うことなく、施工工程数および施工期間の短縮化を図ることができる。
【０００７】
また、例えば、模様替えを行う場合でも、前記間仕切り壁１は、従来と異なり床面と天井面とに固定されずに、前記収納家具５１に固定されているので、容易にこの収納家具５１から間仕切り壁１を取り外すことができる。さらに、床面や天井面に傷をつけることもなく、間仕切り壁１を取り外したあとの見栄えが悪くなることもない。
【０００９】
また、前記間仕切り壁１の一方の端部が前記収納家具５１に固定され、他方の端部が、前記部屋６１を形成する壁面６７に固定されているので、間仕切り壁１の両端部がそれぞれ固定された状態となり、より確実に間仕切り壁１を床面２０上に設置することができるとともに、間仕切り壁１と収納家具５１とによって、部屋６１内に仕切りを形成することができる。
【００１１】
また、前記収納家具５１に建具ユニット２１が連接されて構成されたユニット壁６２の端部のうち、前記間仕切り壁１に固定されていない側の端部は、前記部屋６１を形成する壁面６４に固定されているので、前記ユニット壁６２の両端部が間仕切り壁１と前記壁面６４とに固定された状態となり、床面２０上に、より確実にユニット壁６２を設置することができるとともに、間仕切り壁１とユニット壁６２とによって部屋６１内を完全に仕切ることができる。また、前記ユニット壁６２は建具ユニット２１を備えているので、この建具ユニット２１の建具２５を開閉することによって、仕切られた部屋６１内の行き来を自由に行うことができる。
【００１８】
【発明の実施の形態】
以下、本発明の第１〜第７の実施の形態を図面に基づいて説明する。
まず、間仕切り壁１の構成について説明する。図１に示すように、間仕切り壁１は壁本体２と、該壁本体２の上面に設けられる幕板３と、壁本体２の左右側面のうちの一方の側面に設けられる縦框材４とを備えている。
前記壁本体２は、２つの壁パネル５，５と、該壁パネル５の上下面および左右側面に設けられる長尺な角材１１，１２とを備えている。
【００１９】
前記壁パネル５，５は、図２(a)に示すように、板状のハニカムコア材６と、該ハニカムコア材６の左右側面に設けられた２つの鋼製芯材７，７と、鋼製芯材７，７の外側に設けられた芯材７a,７aとからなる壁部材８と、この壁部材８の表裏面にそれぞれ設けられる面材９，９とを備えている。
【００２０】
前記鋼製芯材７は、平断面視略Ｓ字型をなした長尺部材であり、この鋼製芯材７が酢酸ビニル等の接着剤によってハニカムコア材６の左右側面に固定されている。この鋼製芯材７をハニカムコア材６に設けることによって、反りや曲がりがなく、また、補強された壁パネル５，５とすることができる。
【００２１】
前記面材９としては、例えば、オレフィン合板や、プリント合板等が使用されている。
面材９の横方向の長さは、壁部材８の横方向の長さよりも長くなっており、面材９の縦方向の長さは、壁部材８の縦方向の長さよりも長くなっている。つまり、この壁部材８と面材９とからなる壁パネル５は、その上下面および左右側面に長尺な凹部１０が設けられ、この凹部１０の幅は該凹部１０に嵌めこまれる角材１１，１２の幅の略半分となっており、この凹部１０に前記角材１１，１２が嵌めこまれると凹部１０から角材１１，１２が突出するようになっている。
【００２２】
前記角材１１，１２は、スチール製のパイプであり、平断面視矩形状でその幅が１４ｍｍである。角材１１，１２は、２つの壁パネル５，５の上下面に設けられる横角材１１a,１１bと、左右側面に設けられる縦角材１２a,１２bとがある（図１参照）。
そして、図２(b)に示すように、２つの壁パネル５，５がその側面どうしを互いに対向させるとともに、これら側面どうしの間に前記縦角材１２aが、壁パネル５，５の側面に設けられた凹部１０，１０にそれぞれ嵌めこまれている。つまり、縦角材１２aは、一方の壁パネル５の凹部１０と他方の壁パネル５の凹部１０とに嵌めこまれ、これによって、２つの壁パネル５，５の側面どうしの間には縦角材１２aによる底目地５aが設けられている。
【００２３】
また、図２(c)に示すように、２つの壁パネル５，５のうちの一方の壁パネル５で、前記縦角材１２aが設けられていない側の側面には縦角材１２bが、壁パネル５の前記凹部１０に嵌めこまれている。この凹部１０に嵌めこまれた縦角材１２bは、その一部が凹部１０から突出した状態となっている。
【００２４】
さらに、図１に示すように、２つの壁パネル５，５と、これら壁パネル５，５どうしの間に設けられた縦角材１２aとに跨るようにして、壁パネル５の上面に設けられた凹部１０に横角材１１aが嵌めこまれることによって、２つの壁パネル５，５どうしが連結されている。この横角材１１aと壁パネル５とは、ビス１３が横角材１２aから壁パネル５に向けて打ち込まれることによって、固定されている。
【００２５】
また、２つの壁パネル５，５と、これら壁パネル５，５どうしの間に設けられた縦角材１２aに跨るようにして、壁パネル５の下面に設けられた凹部１０に横角材１１bが嵌めこまれている。この壁パネル５の下面に取り付けられた横角材１１bは、その下面に防震用の弾性部材１４であるゴムが両面テープによって、固定されている。
このように縦角材１２a,１２bおよび横角材１１a,１１bを設けることによって、壁パネル５，５どうしの間の接合部の強度を上げることができる。
なお、前記角材１１，１２の表裏面にはタックシート（図示しない）が貼りつけられている。
【００２６】
このようにして、２つの壁パネル５，５と角材１１，１２とから構成された壁本体２の上面には、前記幕板３が設けられ、壁本体２の左右側面のうち一方の側面には前記縦框材４が設けられている。
前記縦框材４は、前記一方の壁パネル５の側面に取り付けられた縦角材１２bの外側に設けられている。つまり、縦框材４の側面には凹部１５が設けられており、この凹部１５から、後述する部屋６１を形成する壁面６７に向けてビス６８（図９参照）が打ち込まれるようになっており、さらに、この凹部１５に、壁パネル５の側面から突出した縦角材１２bが嵌めこまれるようになっている。（図２(b)参照）
【００２７】
また、壁本体２の左右側面のうち、この縦框材４が取り付けられていない側の側面、つまり、縦框材４が取り付けられていない壁パネル５の側面には、該側面に設けられた凹部１０を塞ぐようにして、エッジ材１６が取り付けられている。
（図１および図９参照）
このエッジ材１６は、木粉と樹脂と顔料とを含む木質様材料を溶融し、所要形状に成形してなるものである。前記木粉は、例えば、住宅等の建物を解体した際に排出される木質廃材や、建物建築中に排出される端材、おが屑等の木質廃材や、バカス、稲藁等の天然木材を粉砕することによって得られる木粉である。前記樹脂は、例えば、塩化ビニル樹脂、発泡塩化ビニル樹脂、ポリエチレン樹脂、フェノール樹脂、ウレタン樹脂、ポリウレタン樹脂、ＡＢＳ樹脂、ポリスチレン樹脂等である。
【００２８】
このようにして、エッジ材１６を木粉と樹脂と顔料とを含む木質用材料から形成することによって、木質感のあるエッジ材１６とすることができる。
なお、このエッジ材１６が取り付けられている側の壁本体２の端部が、後述する収納家具５１の側板５２に固定されるようになっている。
【００２９】
次に、建具ユニット２１について説明する。図３に示すように、建具ユニット２１は、木質系素材から形成されており、互いに平行に対向配置された矩形板状の側板２２，３９と、これら側板２２，３９の上端部に、該側板２２，３９に対して直交するように設けられた矩形板状の天板２３とを備えたユニット本体２４と、このユニット本体２４の、前記側板２２，３９と直交する両面のうちの片面に設けられた建具２５とを備えている。
【００３０】
前記側板２２，３９の幅は、後述する収納家具５１の側板５２の幅に等しくなっている。
前記一方の側板２２の内面には、図４および図５に示すように、該側板２２の上下方向に沿って長尺な縦枠２６が設けられていて、この縦枠２６には、該縦枠２６に嵌合するようにして長尺な板状の戸当たり２７が設けられている。
また、前記縦枠２６には建具２５が設置されるための蝶番２８が、縦枠２６の長手方向に沿って３つ取りつけられている。（図３参照）
【００３１】
前記蝶番２８は、図６に示すように、ルーズピンタイプの蝶番２８で、２つの羽根部２９，３０と、該羽根部２９，３０が挿入される芯棒３１とを備えている。
前記羽根部２９，３０は、芯棒３１が挿入される筒部３２，３３と、該筒部３２，３３に一体に形成されている板状の取付部３４，３５とを備えている。
２つの羽根部２９，３０のうち一方の羽根部２９の取付部３４には、ねじ穴３６が５つ形成されており、他方の羽根部３０の取付部３５には、ねじ穴３７が２つ形成されている。
【００３２】
そして、図６および図７に示すように、芯棒３１に２つの羽根部２９，３０の筒部３２，３３が挿入されて、一方の羽根部２９が前記側板２２の内面に設けられた縦枠２６に設けられ、ねじ穴３６にねじ３６aがねじ込まれることによって固定されている。また、他方の羽根部３０は、建具２５の側面に設けられており、同様に、ねじ穴３７にねじ３７aがねじ込まれることによって固定されている。
なお、リング状の金具３８は、芯棒３１に挿入された羽根部２９，３０どうしの間に介在されている。（図６参照）
このようにして蝶番２８の芯棒３１を軸として建具２５は開閉自在となっており、建具２５はユニット本体２４の内側に向けて開かれるようになっている。
【００３３】
一方、図５に示すように、他方の側板３９の内面にも、前記一方の側板２２と同様に上下方向に沿って長尺な縦枠４０が設けられていて、この縦枠４０には、該縦枠４０に嵌合するようにして長尺な板状の戸当たり４１が設けられている。
この他方の側板３９に設けられた縦枠４０には、該縦枠４０の上下方向に沿って凹部４０aが形成されており、この凹部４０aに、建具２５の蝶番２８が取りつけられていない側の側端部に取り付けられたラッチボルト４２が嵌めこまれるようになっている。
また、前記戸当たり４１にはモヘア４３が設けられている。
【００３４】
前記収納家具５１は、図３、図４、図８に示すように、建具ユニット２１と同じ木質系素材から形成されており、互いに平行に対向配置された矩形板状の側板５２，５２と、これら側板５２，５２の上端部に、該側板５２，５２に対して直交するように設けられた天板５３と、側板５３と直交する両面のうちの片面に設けられた建具５４と、該建具５４に対向するように設けられた背板５５と、前記天板５３に対向するように設けられた底板５６とを備えている。
【００３５】
前記建具５４は両開きである。
前記底板５６は、図８に示すように、２つの側板５２，５２と背板５５との間に挟まれた状態で、床面２０から離れて設けられている。つまり、床面２０上には前板５７が設置されており、この前板５７が底板５６の前面に取り付けられることによって、底板５６は床面２０から離れた状態で支持されている。
このようにして構成された収納家具５１は、床面２０上に固定された４つの固定部５８によって床面２０上に設置されるようになっている。
【００３６】
前記固定部５８は、床面２０上で前記底板５６の四隅にあたる箇所に固定されており、前記底板５６の四隅から、この固定部５８にビス５９が打ち込まれることによって、収納家具５１は床面２０上に設置されるようになっている。
【００３７】
次に、部屋６１内の床面２０と天井面との間に、前記間仕切り壁１、収納家具５１、建具ユニット２１が設置されてなる間仕切り壁１の設置構造について説明する。
図３および図１０に示すように、床面２０に収納家具５１，５１が２つ互いに隣接して設置されており、一方の収納家具５１には、建具ユニット２１が連接されてユニット壁６２が構成されている。
【００３８】
収納家具５１，５１どうしは、一方の収納家具５１の内側の側板５２から他方の収納家具５１の内側の側板５２にビス（図示しない）が打ち込まれることによって固定されている。
収納家具５１と建具ユニット２１とは、図５に示すように、収納家具１の内側の側板５２から建具ユニット２１の側板２２にビス６３が打ち込まれることによって固定されている。
【００３９】
また、２つの収納家具５１，５１と建具ユニット２１とは、図３に示すように、収納家具５１，５１の天板５３，５３および、建具ユニット２１の天板２３の上面に設けられた化粧枠４４によって連結されている。したがって、この化粧枠４４によって収納家具５１，５１と建具ユニット２１とは、一体感のあるユニット壁６２とすることができる。
【００４０】
そして、このユニット壁６２が、部屋６１のコーナー部を形成する壁面のうちの一方の壁面６４に直交するように設置されている。つまり、前記一方の壁面６４に、ユニット壁６２の端部が当接しており、ユニット壁６２を構成する建具ユニット２１の内側の側板３９から前記一方の壁面６４にビス６５が打ち込まれることによって固定されている。（図５参照）
【００４１】
一方、ユニット壁６２の他方の端部には、間仕切り壁１が隣接設置されている。つまり、ユニット壁６２を構成する収納家具５１の端部と間仕切り壁１の端部（すなわち、間仕切り壁１を構成する壁パネル５に設けられたエッジ材１６側の端部）とが当接している。
そして、収納家具５１の端部と間仕切り壁１の端部とは、図９に示すように、収納家具５１の内側の側板５２から間仕切り壁１の端部に向けてビス６６が打ち込まれることによって固定されている。
【００４２】
前記間仕切り壁１の端部のうち、ユニット壁６２の端部に固定されていない側の他方の端部は、図９に示すように、部屋６１のコーナー部を形成する壁面のうちの他方の壁面６７に直交するように設置されている。つまり、前記他方の壁面６７に、間仕切り壁１の端部（すなわち、間仕切壁１を構成する前記縦框材４）が当接しており、間仕切り壁１の縦框材４に設けられた凹部１５から前記壁面６７にビス６８が打ち込まれることによって固定されている。
【００４３】
本発明の第１の実施の形態によれば、床面２０に少なくとも一の収納家具５１が設置されており、収納家具５１に間仕切り壁１が固定されているので、間仕切り壁１を床面２０上に自立させることができるとともに、間仕切り壁１と収納家具５１とによって部屋６１内を仕切ることができる。
したがって、従来と異なり、床面２０と天井面とにそれぞれ床ランナや天井ランナを設置したり、さらに、これら床ランナや天井ランナに間仕切り壁１を釘打ちによって固定するといった、面倒な作業を行うことなく、施工工程数および施工期間の短縮化を図ることができる。
【００４４】
また、例えば、模様替えを行う場合でも、間仕切り壁１は、従来と異なり床面と天井面とに固定されずに、収納家具５１に固定されているので、容易にこの収納家具５１から間仕切り壁１を取り外すことができる。さらに、床面２０や天井面に傷をつけることもなく、間仕切り壁１を取り外したあとの見栄えが悪くなることもない。
さらに、間仕切り壁１が固定された収納家具５１に、様々なものを収納することもでき、スペースの有効利用を図れる。
【００４５】
間仕切り壁１の一方の端部が収納家具５１に固定され、他方の端部が、部屋を６１形成する壁面６７に固定されているので、間仕切り壁１の両端部がそれぞれ固定された状態となり、より確実に間仕切り壁１を床面２０上に設置することができるとともに、間仕切り壁１と収納家具５１とによって、部屋６１内に仕切りを形成することができる。
【００４６】
前記収納家具５１に建具ユニット２１が連接されて構成されたユニット壁１の端部のうち、間仕切り壁１に固定されていない側の端部は、部屋６１を形成する壁面６４に固定されているので、ユニット壁６２の両端部が間仕切り壁１と壁面６４とに固定された状態となり、床面２０上により確実にユニット壁６２を設置することができるとともに、間仕切り壁１とユニット壁６２とによって部屋６１内を完全に仕切ることができる。
また、ユニット壁６２は建具ユニット２１を備えているので、この建具ユニット２１を開閉することによって、仕切られた部屋６１内の行き来を自由に行うことができる。
【００４７】
間仕切り壁１の端部と収納家具５１の端部とは、該収納家具５１の内側の側板５２から、間仕切り壁１に向けてビス６６が打ち込まれることによって固定されているので、打ち込まれたビス６６が外側からは見えず、間仕切り壁１と収納家具５１との接合部の見栄えが良い。
【００４８】
間仕切り壁１の下端面と床面２０との間には、弾性部材１４が介在されているので、この弾性部材１４によって、床面２０上に設置された間仕切り壁１をずれることなく、確実に設置することができ、防震性を向上させることができるとともに、床面２０と間仕切り壁１との間の光漏れ等も防げる。
【００４９】
次に、本発明の第２の実施の形態の間仕切り壁１の設置構造について説明する。
なお、以下の第２〜第７の実施の形態において、間仕切り壁１の端部と収納家具５１の端部とを固定する方法、間仕切り壁１と部屋を形成する壁面６４，６７とを固定する方法等、一度説明したものに関してはその説明を省略する。
【００５０】
図１１に示すように、床面２０に収納家具５１，５１が２つ設置されており、この２つの収納家具５１，５１の間に前記建具ユニット２１が設置されてユニット壁６２が構成されている。
そして、このユニット壁６２が、部屋６１のコーナー部を形成する壁面のうちの一方の壁面６４に直交するように設置されている。つまり、前記一方の壁面６４に、ユニット壁６２の端部が当接しており、ユニット壁６２を構成する収納家具５１の側板５２から前記一方の壁面６４にビス（図示しない）が打ち込まれることによって固定されている。
【００５１】
一方、ユニット壁６２の他方の端部には、間仕切り壁１が隣接設置され、ユニット壁６２を構成する収納家具５１の側板５２と間仕切り壁１の端部とが固定されている。
【００５２】
前記間仕切り壁１の端部のうち、ユニット壁６２の端部に固定されていない側の他方の端部は、部屋６１のコーナー部を形成する壁面のうちの他方の壁面６７に直交するように設置されている。つまり、前記他方の壁面６７に間仕切り壁１の端部が固定されている。
また、部屋６１のコーナー部を形成する壁面のうち他方の壁面６７に、該壁面６７に沿って収納家具５１，５１，５１が３つ隣接設置されており、この収納家具５１の側板５２に間仕切り壁１の端部が固定されている。
【００５３】
次に、本発明の第３の実施の形態の間仕切り壁１の設置構造について説明する。
図１２に示すように、床面２０に収納家具５１，５１が２つ設置されており、この２つの収納家具５１，５１の間に前記建具ユニット２１が設置されてユニット壁６２が構成されている。
そして、このユニット壁６２が部屋６１を形成する壁面６４に対向するようにして設置されている。前記壁面６４には、互いに対向するようにして２つの間仕切り壁１，１が、前記壁面６４に直交するように設置されており、両間仕切り壁１，１の端部がこの壁面６４に固定されている。
【００５４】
間仕切り壁１の端部のうち、前記壁面６４に固定されていない側の端部はともに、ユニット壁６２の端部に設置されている。つまり、間仕切り壁１の端部とユニット壁６２を構成する収納家具５１の側板５２とがそれぞれ固定されている。
【００５５】
次に、本発明の第４の実施の形態の間仕切り壁１の設置構造について説明する。
図１３に示すように、床面２０に収納家具５１，５１が２つ互いに隣接して設置されて第１の収納壁６９が構成されている。
そして、この第１の収納壁６９が、部屋６１のコーナー部を形成する壁面のうちの一方の壁面６４に直交するように設置されている。つまり、前記一方の壁面６４に、第１の収納壁６９の端部が当接し、第１の収納壁６９を構成する収納家具５１の側板５２が固定されている。
【００５６】
一方、部屋６１のコーナー部を形成する壁面のうち他方の壁面６７に、該壁面６７に沿って、かつ、前記一方の壁面６４に直交するように収納家具５１，５１が２つ隣接設置されて、第２の収納壁６９aが構成されている。つまり、第２の収納壁６９aは第１の収納壁６９に対向して設置されており、前記一方の壁面６４に第２の収納壁６９aを構成する収納家具５１の側板５２が固定されている。
【００５７】
また、第１の収納壁６９と第２の収納壁６９aに直交するように、２つの間仕切り壁１，１が設置されており、この２つの間仕切り壁１，１の間に建具ユニット２１aが設置されて、パネル壁７０が構成されている。
そして、このパネル壁７０が部屋６１を形成する壁面のうちの前記一方の壁面６４に対向し、かつ、前記他方の壁面６７にパネル壁７０の端部が固定されている。つまり、パネル壁７０を構成する間仕切り壁１の一方の端部が、他方の壁面６７に固定されるとともに、前記第２の収納壁６９aを構成する収納家具５１の側板５２に固定されている。
また、前記パネル壁７０の他方の端部は、第１の収納壁６９を構成する収納家具５１の側板５２に固定されている。
【００５８】
なお、本発明の第４の実施の形態で説明した建具ユニット２１aは、第１の実施の形態で説明した建具ユニット２１と異なり、建具ユニット２１aを構成する側板２２a,３９aの幅が、間仕切り壁１の幅と等しくなっている。
【００５９】
次に、本発明の第５の実施の形態の間仕切り壁１の設置構造について説明する。
図１４に示すように、床面２０に収納家具５１，５１aが２つ互いに隣接して設置されており、一方の収納家具５１には、前記建具ユニット２１が連接されて第１のユニット壁７３が構成されている。
そして、この第１のユニット壁７３が部屋６１のコーナー部を形成する壁面のうちの一方の壁面６４に直交するように設置されている。つまり、前記一方の壁面６４に、第１のユニット壁７３の端部が当接しており、第１のユニット壁７３を構成する建具ユニット２１の側板３９が固定されている。
【００６０】
一方、部屋６１のコーナー部を形成する壁面のうちの他方の壁面６７に直交し、かつ前記一方の壁面６４に対向するようにして２つの間仕切り壁１，１が設置されている。つまり、一方の間仕切り壁１の端部が前記他方の壁面６７に固定され、他方の間仕切り壁１の端部が、第１のユニット壁７３の端部のうち、前記他方の壁面６７に固定されていない側の端部に当接し、第１のユニット壁７３を構成する収納家具５１aの側板５２aに固定されている。
【００６１】
また、床面２０に収納家具５１,５１aが２つ互いに隣接して設置されており、一方の収納家具５１には、前記建具ユニット２１が連接されて第２のユニット壁７３aが構成されている。
そして、この第２のユニット壁７３aは、前記一方の壁面６４に対向する壁面７４に直交するように設置されている。つまり、前記壁面７４に、第２のユニット壁７３aの端部が当接しており、第２のユニット壁７３aを構成する建具ユニット２１の側板３９が固定されている。
一方、第２のユニット壁７３aの端部のうち、前記壁面７４に固定されていない側の他方の端部は、前記間仕切り壁１の端部に当接しており、第２のユニット壁７３aを構成する収納家具５１aの側板５２aと間仕切壁１の端部とが固定されている。
【００６２】
なお、前記第１のユニット壁７３および第２のユニット壁７３aを構成する２つの収納家具５１，５１aのうち、前記間仕切り壁１に固定される収納家具５１a,５１aの建具５４a,５４aは、建具ユニット２１に固定される収納家具５１，５１の建具５４と異なり片開きとなっている。
【００６３】
次に、本発明の第６の実施の形態の間仕切り壁１の設置構造について説明する。
この第６の実施の形態の間仕切り壁１の設置構造は、第５の実施の形態と異なり、前記第１のユニット壁７３と第２のユニット壁７３aを構成する収納家具５１，５１aおよび建具ユニット２１が違う点であり、その他の構造に関しては同様であるので、その説明を省略する。
【００６４】
つまり、第５の実施の形態の収納家具５１の側板５２の幅と異なる幅の側板５２bを備えた収納家具５１bが、該収納家具５１bの裏面を、収納家具５１の裏面に突き合わせて設置されている。
また、第５の実施の形態の収納家具５１aの側板５２aの幅と異なる幅の側板５２cを備えた収納家具５１cが、該収納家具５１cの裏面を、収納家具５１aの裏面に突き合わせて設置されている。
【００６５】
さらに、第６の実施の形態の建具ユニット２１bは、第５の実施の形態の建具ユニット２１に比して、その側板２２b,３９bの幅が広く、その幅は、前記収納家具５１の側板５２の幅と収納家具５１bの側板５２bの幅とを合わせた長さに等しい。
【００６６】
次に、本発明の第７の実施の形態の間仕切り壁１の設置構造について説明する。
図１６に示すように、部屋６１を形成する壁面のうち一方の壁面６４の中央に吹き抜け７１が設けられている。そして、この吹き抜け７１を形成する壁面７２に隣接して、第６の実施の形態で説明した収納家具５１,５１bが、それぞれの裏面を互いに突き合わせて設置されている。
この吹き抜け７１を形成する壁面７２に、収納家具５１，５１bの側板５２，５２bがそれぞれ固定されている。
【００６７】
一方、部屋６１を形成する壁面のうち他方の壁面６７および、該他方の壁面６７に対向する壁面７４間に、第４の実施の形態で説明した２つの建具ユニット２１a，２１aと２つの間仕切り壁１，１が設置されている。つまり、２つの建具ユニット２１a，２１aの間に２つの間仕切り壁１，１が設置されており、２つの建具ユニット２１a，２１aの側板３９a，３９aが、前記他方の壁面６７および該他方の壁面６７に対向する壁面７４にそれぞれ固定されている。
【００６８】
また、２つの間仕切り壁１，１に隣接して前記２つの収納家具５１，５１bの端部が設置されており、収納家具５１，５１bの側板５２，５２bと間仕切り壁１，１のそれぞれの端部とが固定されている。
【００６９】
本発明の第１〜第７の実施の形態において、収納家具５１，５１a，５１b，５１cや建具ユニット２１，２１a，２１bの数は上述した数に限らず、適宜変更可能である。
【００７０】
【発明の効果】
本願発明によれば、前記間仕切り壁を床面上に自立させることができるとともに、間仕切り壁と収納家具とによって部屋内を仕切ることができる。したがって、従来と異なり、容易に間仕切り壁を設置することができ、施工工程数および施工期間の短縮化を図ることができる。また、模様替えも容易に行うことができるとともに、床面や天井面に傷をつけることもない。
【００７１】
また、間仕切り壁の両端部がそれぞれ固定された状態となり、より確実に間仕切り壁を床面上に設置することができるとともに、間仕切り壁と収納家具とによって、部屋内に仕切りを形成することができる。
【００７２】
また、前記ユニット壁の両端部が間仕切り壁と前記壁面とに固定された状態となり、床面上により確実にユニット壁を設置することができるとともに、間仕切り壁とユニット壁とによって部屋内を完全に仕切ることができる。また、前記ユニット壁は建具ユニットを備えているので、この建具ユニットを開閉することによって、仕切られた部屋内の行き来を自由に行うことができる。
【００７３】
また、打ち込まれた止着材または、ねじ込まれた止着材が外側からは見えず、間仕切り壁と収納家具との接合部の見栄えが良い。
【００７４】
更に、床面上に設置された間仕切り壁をずれることなく、確実に設置することができ、防震性を向上させることができるとともに、床面と間仕切り壁との間の光漏れ等も防げる。
【図面の簡単な説明】
【図１】本発明の第１の実施の形態を示すためのもので、間仕切り壁の分解斜視図で、一部正断面図である。
【図２】同、(a)は、壁パネルの要部を示す斜視図、(b)は、壁パネルどうしの接合部の要部を示す斜視図、(c)は、壁パネルと縦框材との接合部の要部を示す斜視図である。
【図３】同、間仕切り壁の設置構造を示す斜視図である。
【図４】同、間仕切り壁の設置構造を示す平面図である。
【図５】同、建具ユニットの平断面図である。
【図６】同、蝶番の分解斜視図である。
【図７】同、蝶番の取付構造を示す平断面図である。
【図８】同、収納家具の下端部を示す斜視図である。
【図９】同、間仕切り壁の設置構造を示す平断面図である。
【図１０】同、間仕切り壁の設置構造を示す平面図である。
【図１１】本発明の第２の実施の形態を示すためのもので、間仕切り壁の設置構造を示す平面図である。
【図１２】本発明の第３の実施の形態を示すためのもので、間仕切り壁の設置構造を示す平面図である。
【図１３】本発明の第４の実施の形態を示すためのもので、間仕切り壁の設置構造を示す平面図である。
【図１４】本発明の第５の実施の形態を示すためのもので、間仕切り壁の設置構造を示す平面図である。
【図１５】本発明の第６の実施の形態を示すためのもので、間仕切り壁の設置構造を示す平面図である。
【図１６】本発明の第７の実施の形態を示すためのもので、間仕切り壁の設置構造を示す平面図である。
【符号の説明】
１  間仕切り壁
１４  弾性部材
２０  床面
２１  建具ユニット
２５  建具
５１  収納家具
５２  側面
６１  部屋
６２  ユニット壁
６６  止着材
６４，６７  壁面
【図１】
0004649071.tif 000002
【図２】
0004649071.tif 000003
【図３】
0004649071.tif 000004
【図４】
0004649071.tif 000005
【図５】
0004649071.tif 000006
【図６】
0004649071.tif 000007
【図７】
0004649071.tif 000008
【図８】
0004649071.tif 000009
【図９】
0004649071.tif 000010
【図１０】
0004649071.tif 000011
【図１１】
0004649071.tif 000012
【図１２】
0004649071.tif 000013
【図１３】
0004649071.tif 000014
【図１４】
0004649071.tif 000015
【図１５】
0004649071.tif 000016
【図１６】
0004649071.tif 000017